(57)【要約】  本発明にかかる分光感度測定装置２０および分光感度校正方法では、基準太陽光を照射した場合の短絡電流、および、相対分光感度が予め測定されている基準光起電力素子を用いて、測定対象である太陽電池３１の分光感度が校正される。このため、本発明にかかる分光感度測定装置２０および分光感度校正方法は、測定対象である太陽電池３１の分光感度を校正することができる。また、本発明にかかる太陽電池評価装置１００および分光放射照度校正方法では、基準太陽光を照射した場合の短絡電流、および、相対分光感度が予め測定されている基準光起電力素子を用いて、前記分光放射照度が校正される。このため、本発明にかかる太陽電池評価装置１００および分光放射照度校正方法は、ソーラシミュレータの分光放射照度を校正することができる。
2012081149.tif 000002
【特許請求の範囲】
【請求項１】
測定対象である太陽電池の分光感度を測定する分光感度測定部と、
基準太陽光を照射した場合の短絡電流、および、相対分光感度が予め測定されている基準光起電力素子を用いて、前記分光感度を校正する分光感度校正演算部と
を備えることを特徴とする分光感度測定装置。
【請求項２】
前記分光感度校正演算部は、下記式（Ｃ１）を用いることによって前記基準光起電力素子の絶対分光感度を求め、下記式（Ｃ２）を用いることによって前記分光感度測定部で測定した分光感度を校正することで、校正後の分光感度を算出すること
を特徴とする請求項１に記載の分光感度測定装置。
Ｐｃ(λ)＝（Ｉｓｃ／（∫Ｐｃｒ(λ)・Ｓ(λ)ｄλ））・Ｐｃｒ(λ)  ・・・（Ｃ１）
Ｐ(λ)＝（Ｐｃ(λ)／Ｐｃｍ(λ)）・Ｐｓｍ(λ)  ・・・（Ｃ２）
ただし、
Ｐｃ(λ)：前記基準光起電力素子の絶対分光感度
Ｉｓｃ：前記基準太陽光による前記短絡電流
Ｐｃｒ(λ)：前記相対分光感度
Ｓ(λ)：前記基準太陽光による分光放射照度
Ｐ(λ)：前記校正後の前記分光感度
Ｐｃｍ(λ)：前記分光感度測定部で測定した前記基準光起電力素子の分光感度
Ｐｓｍ(λ)：前記太陽電池の分光感度
【請求項３】
分光放射照度の基準太陽光を模した光を照射光として太陽電池に照射するソーラシミュレータと、
前記照射光による太陽電池の短絡電流を測定する短絡電流測定部と、
前記ソーラシュミレータの分光放射照度を測定する分光放射照度測定部と、
前記基準太陽光を照射した場合の短絡電流、および、相対分光感度が予め測定されている基準光起電力素子を用いて、前記分光放射照度を校正し、分光照射照度を求める分光照射照度校正演算部と
を備えることを特徴とする太陽電池評価装置。
【請求項４】
前記分光放射照度校正演算部は、
前記基準光起電力素子の絶対分光感度、および、前記分光放射照度測定部で測定した分光放射照度に基づき、下記式（Ｃ３）を用いることによって前記校正後の前記分光照射照度を算出すること
を特徴とする請求項３に記載の太陽電池評価装置。
Ｌ(λ)＝（Ｉｓｃ／（∫Ｐｃ(λ)・Ｌｍ(λ)ｄλ））・Ｌｍ(λ)  ・・・（Ｃ３）
ただし、
Ｌ(λ)：前記校正後の前記分光照射照度
Ｉｓｃ：前記基準太陽光による前記短絡電流
Ｐｃ(λ)：前記基準光起電力素子の絶対分光感度
Ｌｍ(λ)：前記分光放射照度測定部で測定した分光放射照度
【請求項５】
前記分光放射照度校正演算部は、
下記式（Ｃ４）を用いることによって、前記基準光起電力素子の絶対分光感度を求め、
下記式（Ｃ５）を用いることによって、前記分光放射照度測定部で測定した分光放射照度を校正することで、校正後の分光放射照度Ｌ（λ）を算出すること
を特徴とする請求項３に記載の太陽電池評価装置。
Ｐｃ(λ)＝（Ｉｓｃ／（∫Ｐｃｒ(λ)・Ｓ(λ)ｄλ））・Ｐｃｒ(λ)  ・・・（Ｃ４）
Ｌ(λ)＝（Ｉｓｃ／（∫Ｐｃ(λ)・Ｌｍ(λ)ｄλ））・Ｌｍ(λ)  ・・・（Ｃ５）
ただし、
Ｐｃ(λ)：前記基準光起電力素子の絶対分光感度
Ｉｓｃ：前記基準太陽光による前記短絡電流
Ｐｃｒ(λ)：前記相対分光感度
Ｓ(λ)：前記基準太陽光による分光放射照度
Ｌ(λ)：前記校正後の前記分光照射照度
Ｌｍ(λ)：前記分光放射照度測定部で測定した分光放射照度
【請求項６】
前記太陽電池評価装置は、さらに、
測定対象である太陽電池の分光感度を測定する分光感度測定部と、
前記基準光起電力素子を用いて、前記分光感度を校正し、分光感度を求める分光感度校正演算部と
を備えることを特徴とする請求項３に記載の太陽電池評価装置。
【請求項７】
測定対象である太陽電池の分光感度を測定する分光感度測定部を備える分光感度測定装置の、前記分光感度測定部を校正する分光感度校正方法であって、
基準太陽光を照射した場合の短絡電流、および、相対分光感度が予め測定されている基準光起電力素子を用いて、前記分光感度を校正する工程を含むこと
を特徴とする分光感度校正方法。
【請求項８】
分光放射照度の基準太陽光を模した光を照射光として太陽電池に照射するソーラシミュレータと、前記照射光による太陽電池の短絡電流を測定する短絡電流測定部と、前記ソーラシュミレータの分光放射照度を測定する分光放射照度測定部とを備える太陽電池評価装置の、分光放射照度測定部を校正する分光放射照度校正方法であって、
前記基準太陽光を照射した場合の短絡電流、および、相対分光感度が予め測定されている基準光起電力素子を用いて、前記分光放射照度を校正し、分光照射照度を求める工程を含むこと
を特徴とする分光放射照度校正方法。
【発明の詳細な説明】
【技術分野】
【０００１】
本発明は、太陽電池を評価するための装置および方法に関する。
【背景技術】
【０００２】
近年、太陽電池は、広く普及し、メーカ間あるいは製品間で激しく競争している。また、その組成も、単結晶シリコン、アモルファスシリコン、薄膜シリコンおよび有機化合物等の、多くの種類が開発されている。【０００３】
このような太陽電池は、材料および構造に起因する固有の分光感度特性を有するので、その光電変換特性は、性能評価用の照射光の分光放射照度に大きく依存する。そこで、これらの太陽電池の光電変換効率を公正に評価するために、評価方法が、ＩＥＣ６０９０４（ＩＥＣ；International Electrotechnical Commission；国際電気標準会議）やＪＩＳＣ８９０５〜Ｃ８９９１（ＪＩＳ；Japanese Industrial Standards；日本工業規格）で定義されている。太陽電池の性能測定は、国際的に協定された標準試験条件の下で、基準太陽光の分光放射照度（＝Ｓ（λ））に近似させた分光放射照度Ｌ（λ）を持つソーラシミュレータを用いて屋内で実施されることが多い。【０００４】
このソーラシミュレータには、その分光放射照度が基準太陽光と完全には一致していない場合や、メーカ間および同じメーカでも機差が存在している場合がある。このため、分光感度特性が同じ太陽電池であっても、異なるソーラシミュレータで太陽電池を測定すると、太陽電池の発電量が異なってしまう。【０００５】
そこで、測定者は、例えば、産業技術総合技術研究所（＝日本国において、国際的に統一された基準太陽光スペクトル等を持っている国立またはそれに準じる機関）に、サンプルとなる太陽電池を送付してその測定を依頼する。それに応じてこれらの機関は、所有している限りなく基準太陽光に近い高近似ソーラシミュレータを用いてサンプルの自然太陽光ＡＭ１．５、１００ｍＷ／ｃｍ２における短絡電流Ｉｓｃを求め、測定値（＝Ａ）を記載して依頼者である前記測定者に返送する。【０００６】
そして、これを受けて測定者は、返送されて来たサンプルを、以降、自社の基準セルとして、ソーラシミュレータの光量調整用に使用している。すなわち、測定者は、ソーラシミュレータの照射光を基準セルに照射し、その短絡電流Ｉｓｃが前記測定値Ａとなるように、ソーラシミュレータの光量を調整する。そして、測定者は、実際に測定すべき（検査対象の製品の）太陽電池の特性を測定している。前述のように基準太陽光の分光スペクトルを厳密に再現することは、困難であるが、これは、可能な限り、各社のソーラシミュレータをそれに合せ込むための手法である。【０００７】
ところが、上述の手法では、基準セルによる校正が完了するまでに、測定者がサンプルを作成して郵送し、公的機関がサンプルを測定して返送することが必要であり、このため、時間および費用が掛かってしまう。しかも、校正は、一度だけ行えば済むものではなく、測定すべき太陽電池の分光感度が変わる都度、新たに基準セルを作成して校正をやり直す必要があり、前記時間および費用は、膨大なものになる。【０００８】
そこで、測定対象の太陽電池の分光感度Ｐ（λ）を予め測定しておくことによって、分光放射照度Ｓ（λ）での基準太陽光による発電電力ＥＳを、次式（Ｐ１）を用いることによって換算する太陽電池の評価方法が提案されている（特許文献１等参照）。
ＥＳ＝ＥＬ・｛∫Ｓ（λ）・Ｐ（λ）ｄλ｝／｛∫Ｌ（λ）・Ｐ（λ）ｄλ｝      ・・・（Ｐ１）
ここで、ＥＬは、分光放射照度Ｌ（λ）のソーラシミュレータでの照射光による発電電力である。【０００９】
しかしながら、上述の手法では、測定対象の太陽電池の分光感度Ｐ（λ）およびソーラシミュレータの分光放射照度Ｌ（λ）が正確であることが前提となるが、これら測定値に誤差が生じてくる場合がある。すなわち、測定対象の太陽電池の分光感度Ｐ（λ）を測定する装置またはソーラシミュレータの分光放射照度Ｌ（λ）を測定する装置に経時変化が起こる等した場合である。これら測定値が変化してしまうと、正確な短絡電流を計算で求めることができなくなってしまう。
【先行技術文献】
【特許文献】
【００１０】
【特許文献１】国際公開第ＷＯ２０１０／０５８６４９号
【発明の概要】
【００１１】
本発明は、上述の事情に鑑みて為された発明であり、その目的は、太陽電池を評価する場合に、測定対象である太陽電池の分光感度を測定する分光感度測定装置を校正すること、および、ソーラシミュレータの分光放射照度を測定する分光放射照度測定装置を校正することである。
【００１２】
本発明にかかる分光感度測定装置および分光感度校正方法では、基準太陽光を照射した場合の短絡電流、および、相対分光感度が予め測定されている基準光起電力素子を用いて、測定対象である太陽電池の分光感度が校正される。このため、本発明にかかる分光感度測定装置および分光感度校正方法は、測定対象である太陽電池の分光感度を校正することができる。
【００１３】
また、本発明にかかる太陽電池評価装置および分光放射照度校正方法では、基準太陽光を照射した場合の短絡電流、および、相対分光感度が予め測定されている基準光起電力素子を用いて、前記分光放射照度が校正される。このため、本発明にかかる太陽電池評価装置および分光放射照度校正方法は、ソーラシミュレータの分光放射照度を校正することができる。
【００１４】
上記並びにその他の本発明の目的、特徴および利点は、以下の詳細な記載と添付図面から明らかになるであろう。
【図面の簡単な説明】
【００１５】
【図１】実施形態に係る太陽電池評価装置の構成を示すブロック図である。
【図２】基準セルの相対分光感度と絶対分光感度とを示す図である。
【図３】測定対象である太陽電池の分光感度の補正を示す図である。
【図４】ソーラシミュレータの分光放射照度の補正を示す図である。
【図５】本実施形態による太陽電池評価装置の動作を説明するためのフローチャートである。
【図６】図５に示す分光感度測定部の校正処理を示すフローチャートである。
【図７】図５に示す分光放射照度測定部の校正処理を示すフローチャートである。
【図８】図７に示すソーラシミュレータの光量調整処理を示すフローチャートである。
【図９】図１に示す太陽電池評価装置を用いてソーラシミュレータの光量調整を行った場合の効果を示す図である。
【図１０】図１に示す太陽電池評価装置を用いてソーラシミュレータの光量調整を行った場合の効果を示す図である。
【発明を実施するための形態】
【００１６】
以下、本発明にかかる実施の一形態を図面に基づいて説明する。なお、各図において同一の符号を付した構成は、同一の構成であることを示し、適宜、その説明を省略する。また、本明細書において、総称する場合には添え字を省略した参照符号で示し、個別の構成を指す場合には添え字を付した参照符号で示す。
【００１７】
＜実施形態＞
本実施形態は、ソーラシミュレータ（以下、「ＳＳ」という場合がある。）の分光放射照度を測定する分光放射照度測定部、および、測定対象である太陽電池（以下、「測定対象太陽電池」という。）の分光感度を測定する分光感度測定部を校正するものである。したがって、実施の一形態として、ＳＳの分光放射照度と測定対象太陽電池の分光感度とを用いてＳＳの光量調整を行う太陽電池評価装置を例に以下に説明する。
【００１８】
本実施形態の太陽電池評価装置では、測定対象太陽電池の分光感度Ｐ（λ）が予め測定されており、光量調整の際には、ＳＳの分光放射照度Ｌ（λ）が測定され、これらを基に光量制御信号ＣＴＬが作成され、ＳＳの光量調整が行われる（詳細は、後述する）。
【００１９】
したがって、より正確にＳＳを調整するためには、測定対象太陽電池の分光感度Ｐ（λ）と、ＳＳの分光放射照度Ｌ（λ）がより正確に測定されることが必要となる。
【００２０】
本実施形態では、測定対象太陽電池の評価を開始する前に、ＳＳの分光放射照度Ｌ（λ）を測定する分光放射照度測定部と、測定対象の太陽電池の分光感度Ｐ（λ）を測定する分光感度測定部とを校正することによって、より正確な光量調整が行われる。
【００２１】
この分光放射照度測定部と分光感度測定部との校正には、産業技術総合技術研究所等の公的機関による値付けされた基準セルの短絡電流Ｉｓｃと相対分光感度Ｐｃｒ（λ）または絶対分光感度Ｐｃ(λ)とが用いられる。分光放射照度測定部および分光感度測定部の校正には、それぞれ異なる基準セルが用いられてもよいが、校正精度を向上させるためには、同じ基準セルを用いる方が望ましい。
【００２２】
以下、本発明にかかる実施の一形態を図面に基づいて説明する。図１は、実施形態にかかる太陽電池評価装置１００の構成を示すブロック図である。この太陽電池評価装置１００は、分光放射照度測定装置１０および分光感度測定装置２０を備えている。
【００２３】
＜分光感度測定装置＞
まず、分光感度測定装置２０の構成を説明する。この分光感度測定装置２０は、分光感度測定部２１、分光感度校正演算部２２、分光感度記憶部２３、公的測定値記憶部２４、および、絶対分光感度演算部２５を備える。
【００２４】
分光感度測定部２１は、測定対象太陽電池３１の分光感度Ｐｓｍ（λ）を測定する装置である。
【００２５】
分光感度校正演算部２２は、分光感度測定部２１で測定した測定対象太陽電池３１の分光感度Ｐｓｍ（λ）を校正し、測定対象太陽電池３１の本来の分光感度である分光感度Ｐ（λ）を算出する演算手段である。この校正には、基準セル３０の絶対分光感度Ｐｃ（λ）と、分光感度測定部２１で測定した基準セル３０の分光感度Ｐｃｍ（λ）とが用いられる。
【００２６】
分光感度記憶部２３は、分光感度測定部２１で測定した基準セル３０の分光感度Ｐｃｍ(λ)を記憶しておくメモリである。
【００２７】
公的測定値記憶部２４は、基準太陽光の分光放射照度Ｓ（λ）、および、公的機関による基準セル３０の測定結果を記憶しておくメモリである。基準セル３０の測定結果とは、基準セルの相対分光感度Ｐｃｒ（λ）、および、分光放射照度Ｓ（λ）の照射光による基準セルの短絡電流Ｉｓｃである。
【００２８】
絶対分光感度演算部２５は、基準セル３０の絶対分光感度Ｐｃ（λ）を算出し、算出した絶対分光感度Ｐｃ（λ）を記憶しておく手段である。
【００２９】
以下、基準セル３０の絶対分光感度Ｐｃ（λ）の求め方を説明する。
【００３０】
まず、説明に用いる変数の定義の一覧を示す。
Ｐｃｒ(λ)：公的機関で値付けされた基準セル３０の相対分光感度［％］
Ｐｃ(λ)：基準セル３０の絶対分光感度［Ａ／Ｗ／ｍ２／ｎｍ］
Ｐｃｍ(λ)：公的機関で値付けされた基準セル３０を、分光感度測定装置２０の分光感度測定部２１で測定した分光感度［Ａ／Ｗ／ｍ２／ｎｍ］
Ｐｓｍ(λ)：測定対象太陽電池３１を分光感度測定装置２０の分光感度測定部２１で測定した分光感度［Ａ／Ｗ／ｍ２／ｎｍ］
Ｐ(λ)：測定対象太陽電池３１の分光感度［Ａ／Ｗ／ｍ２／ｎｍ］
Ｉｓｃ：公的機関で値付けされた基準セル３０の短絡電流［Ａ］
Ｓ(λ)：基準太陽光の分光放射照度［Ｗ／ｍ２／ｎｍ］
Ｋｐ：変換係数［Ｗ／ｍ２／ｎｍ／％］
【００３１】
基準セル３０の短絡電流Ｉｓｃは、次式（１）に示すように、Ｐｃｒ(λ)とＳ(λ)の積分値に、変換係数(＝Ｋｐ)を掛けた値となる。
Ｉｓｃ＝Ｋｐ・∫Ｐｃｒ(λ)・Ｓ(λ)ｄλ      ・・・（１）
ここで、Ｋｐ＝Ｉｓｃ／｛∫Ｐｃｒ(λ)・Ｓ(λ)ｄλ｝である。したがって、絶対分光感度Ｐｃ（λ）は、次式（２）によって求められる。
Ｐｃ(λ)＝Ｋｐ・Ｐｃｒ(λ)
＝｛Ｉｓｃ／（∫Ｐｃｒ(λ)・Ｓ(λ)ｄλ）｝・Ｐｃｒ(λ)      ・・・（２）
図２には、これら相対分光感度Ｐｃｒ(λ)と絶対分光感度Ｐｃ（λ）との関係が示されている。
【００３２】
次に、測定対象太陽電池３１の分光感度Ｐｓｍ（λ）の校正の方法について説明する。
【００３３】
分光感度測定部２１が経年変化等による誤差がなければ、Ｐｃ（λ）とＰｃｍ（λ）は、波長に関係なく同一となるが、実際には、精密機器である分光感度測定部は、何らかの誤差が生じる可能性があるので、この波長毎の補正係数として、（Ｐｃ（λ）／Ｐｃｍ（λ））が求められ、この補正係数を用いて、測定対象太陽電池３１の分光感度であるＰｓｍ（λ）を乗算することで、Ｐ（λ）が求められる。
【００３４】
測定対象太陽電池３１の分光感度Ｐ(λ)は、次式（３）となる。
Ｐ(λ)＝｛Ｐｃ(λ)／Ｐｃｍ(λ)｝・Ｐｓｍ(λ)      ・・・（３）
図３には、基準セル３０の分光感度Ｐｃｍ(λ)および絶対分光感度Ｐｃ（λ）、測定対象太陽電池３１の分光感度Ｐｓｍ(λ)および校正後の分光感度Ｐ(λ)との関係が示されている。
【００３５】
なお、校正方法の異なる主要４カ国(日米独中)の１次基準太陽電池の誤差量が±２％あり、日本で校正された太陽電池の短絡電流は、米国での機関での短絡電流と必ずしも一致しない場合もある。すなわち、同じ基準セルを使用しても、世界の測定機関間での評価方法の違いにより、各機関が測定した短絡電流Ｉｓｃの値が相互に異なってしまい、機関毎にその太陽電池評価装置１００を補正する必要がある。しかし、本実施形態によれば、分光感度、短絡電流は、各校正機関毎の校正値を使用しているので、機関毎の校正値を採用することで前述の機関毎に太陽電池評価装置１００を補正する必要がないことになる。
【００３６】
＜分光放射照度測定装置＞
次に、分光放射照度測定装置１０の構成について説明する。この分光放射照度測定装置１０は、測定対象太陽電池３１に疑似太陽光を照射するソーラシミュレータ（ＳＳ）１１、分光放射照度測定部１２、分光放射照度校正演算部１３、電流電圧計１４、光量調整演算部１５、公的測定値記憶部１６、および、絶対分光感度演算部１７を備えている。
【００３７】
ＳＳ１１は、ＪＩＳ（Ｃ８９１２）（ＪＩＳ；Japanese Industrial
Standards；日本工業規格）で定義されている基準太陽光を模した光（疑似太陽光）を発生し、測定対象太陽電池３１に照射する照明光源である。
【００３８】
電流電圧計１４は、ＳＳ１１からの照射光による測定対象太陽電池３１の電流および電圧を測定し、短絡電流Ｉｓｃを出力する。
【００３９】
光量調整演算部１５は、分光感度測定装置２０で測定した測定対象太陽電池３１の分光感度Ｐ（λ）と、公的測定値記憶部１６に記憶されている基準太陽光の分光放射照度Ｓ（λ）とから、次式（４）を用いて、測定対象太陽電池３１の理論上の短絡電流Ｉｓｃｒｅｆを算出する。
Ｉｓｃｒｅｆ＝∫Ｐ（λ）・Ｓ（λ）ｄλ        ・・・（４）
【００４０】
次に、光量調整演算部１５は、ＳＳ１１の分光放射照度Ｌ（λ）と、測定対象太陽電池３１の分光感度Ｐ（λ）とから、次式（５）を用いて、測定対象太陽電池３１の短絡電流Ｉｓｃを算出する。
Ｉｓｃ＝∫Ｐ（λ）・Ｌ（λ）ｄλ              ・・・（５）
【００４１】
光量調整演算部１５は、Ｉｓｃ＝Ｉｓｃｒｅｆとなるように、光量制御信号ＣＴＬを作成し、ＳＳ１１の光量調整を行う。
【００４２】
この場合、Ｌ（λ）およびＰ（λ）を、分光放射照度校正演算部１３および分光感度校正演算部２２で校正した値を用いることで、より正確なＳＳ１１の調整を行うことが可能となる。
【００４３】
次に、公的測定値記憶部１６は、分光感度測定装置２０の公的値記憶部２４と同様に、Ｓ（λ）、Ｐｃｒ（λ）およびＩｓｃを記憶しておくメモリである。
【００４４】
絶対分光感度演算部１７は、分光感度測定装置２０の絶対分光感度演算部２５と同様に、Ｐｃ（λ）を算出し、算出したＰｃ（λ）を記憶しておく手段である。
【００４５】
次に、分光放射照度測定部１２は、ＳＳ１１による照射光の分光的Ｌｍ（λ）を測定する装置である。
【００４６】
測定対象太陽電池３１をセットする位置に分光放射照度測定部１２がセットされ、分光放射照度Ｌｍ（λ）が測定される。または、例えば、ＳＳ１１から測定対象太陽電池３１への光路に例えばミラー等の光分岐器が介在され（図示していない）、この光分岐器によって、ＳＳ１１による照射光の一部の光を分岐させて、例えば反射（たとえば９９％を通過、１％を反射）させて分光放射照度測定部１２に入射させるように、分光放射照度測定装置１０が構成されてもよい。
【００４７】
分光放射照度校正演算部１３は、分光放射照度測定部１２で測定した分光放射照度Ｌｍ（λ）を校正し、ＳＳ１１の照射光本来の分光放射照度である分光放射照度Ｌ（λ）を求める演算手段である。
【００４８】
ここで、分光放射照度の校正の方法について説明する。
【００４９】
説明に用いる変数の定義の一覧を示す。
Ｌ(λ)：ＳＳ１１の絶対分光放射照度［Ｗ／ｍ２／ｎｍ］
Ｌｍ(λ)：ＳＳ１１を分光放射照度測定装置１０の分光放射照度測定部１２で測定した分光放射照度［Ｗ／ｍ２／ｎｍ］
Ｉｓｃｍ：基準セル３０を光量調整済のＳＳ１１で測定時の計算で求めた短絡電流［Ａ］
【００５０】
まず、図１に示す測定対象太陽電池３１に代えて基準セル３０が太陽電池評価装置１００のＳＳ１１の照明下に配置され、電流電圧計１４で測定される短絡電流が、公的機関で値付けされた短絡電流ＩｓｃになるようにＳＳ１１の光量が調整される。このようにＳＳ１１を調整しているので、次式（６）で求めた短絡電流Ｉｓｃは、公的機関で定義された短絡電流と一致するはずである。
Ｉｓｃ＝∫Ｐｃ(λ)・Ｌ(λ)ｄλ      ・・・（６）
【００５１】
しかしながら、実際には、精密機器である分光放射照度測定部１２は、使用時間とともに、光学部品の汚れ、振動等により、値が変化することがあり、測定された分光放射照度は、必ずしも絶対値分光放射照度Ｌ（λ）と一致しない場合がある。
【００５２】
そこで、この不一致を補正するために分光放射照度測定部１２の校正が必要となる。
【００５３】
ＳＳ１１の光量調整後、短絡電流Ｉｓｃｍは、次式（７）となる。
Ｉｓｃｍ＝∫Ｐｃ(λ)・Ｌｍ(λ)ｄλ      ・・・（７）
【００５４】
ここで、分光放射照度の時間とともに変化する量に波長依存性がないと仮定する。図４には、校正後の分光放射照度Ｌ(λ)と測定された分光放射照度をＬｍ(λ)との関係が示されている。
【００５５】
校正係数をＫｓとすると、次式（８）が成り立つ。
Ｌ(λ)＝Ｋｓ・Ｌｍ(λ)      ・・・（８）
上記式（６）、式（７）、式（８）より、次式（９）となるので、次式（１０）から、ＳＳ１１の絶対分光放射照度Ｌ(λ)は、次式（１１）によって求めることができる。
Ｉｓｃ＝Ｋｓ・∫Ｐｃ(λ)・Ｌｍ(λ)ｄλ
＝Ｋｓ・Ｉｓｃｍ      ・・・（９）
Ｋｓ＝Ｉｓｃ／Ｉｓｃｍ      ・・・（１０）
Ｌ(λ)＝Ｉｓｃ／Ｉｓｃｍ・Ｌｍ(λ)
＝[Ｉｓｃ／｛∫Ｐｃ(λ)・Ｌｍ(λ)ｄλ｝]・Ｌｍ(λ)      ・・・（１１）
【００５６】
このような構成の太陽電池評価装置１００は、例えば、パーソナルコンピュータ等のコンピュータを用いて構成可能であり、分光放射照度校正演算方法をプログラムしたソフトウェアを実行することによって、上述する分光放射照度校正演算部１３がコンピュータに機能的に構成される。また、分光感度校正演算方法等をプログラムしたソフトウェアを実行することによって上述の分光感度校正演算部２２がコンピュータに機能的に構成される。なお、コンピュータには、分光放射照度校正演算部１３等だけではなく、図１に示す短絡電流演算部１５、公的測定値記憶部１６、絶対分光感度演算部１７、分光感度記憶部２３、公的値記憶部２４および絶対分光感度演算部２５のうちの１または複数が構成されてもよく、構成すべき部に相当するソフトウェアを実行することによって前記各部のブロックがコンピュータに機能的に構成される。
【００５７】
＜動作＞
次に、図５ないし図８を用いて、太陽電池評価装置１００の動作について説明する。図５は、太陽電池評価装置１００が、測定対象太陽電池３１の短絡電流を測定する場合の処理を示すフローチャートである。
【００５８】
図５において、まず、分光感度測定部２１の校正処理が行われ、測定対象太陽電池３１における校正後の分光感度Ｐ（λ）が求められる（ステップＳ１０）。
【００５９】
次に、分光放射照度測定部１２の校正処理が行われ、絶対分光感度Ｐｃ（λ）の基準セル３０のセット時における校正後の分光放射照度Ｌ（λ）が求められる（ステップＳ１１）。
【００６０】
光量調整演算部１５は、分光感度Ｐ（λ）を分光感度校正演算部２２から取得し、分光放射照度Ｌ（λ）を分光放射照度校正演算部１３から取得し、基準太陽光の分光放射照度Ｓ（λ）を公的測定値記憶部１６から読み出す。
【００６１】
そして、光量調整演算部１５は、「∫Ｐ(λ)・Ｌ(λ)ｄλ」と「∫Ｐ(λ)・Ｓ(λ)ｄλ」とが同じになるように光量制御信号ＣＴＬを作成し（ステップＳ１２）、ＳＳ１１の光量調整を行う（ステップＳ１３）。調整後の分光放射照度Ｌ（λ）は、分光感度Ｐ（λ）の測定対象太陽電池３１の測定に最適なものである。すなわち、測定対象太陽電池３１が基準太陽光を照射された時に発生するのと同じ短絡電流が測定できる。
【００６２】
その後、ステップＳ１０で分光感度Ｐ（λ）が測定された測定対象太陽電池３１がセットされると（ステップＳ１４）、電流電圧計１４は、Ｉ−Ｖ測定を行い、短絡電流を出力する（ステップＳ１５）。
【００６３】
＜分光感度測定部２１の校正＞
図６は、分光感度測定部２１の校正処理のフローチャートである。分光感度測定部２０の校正処理では、まず、分光感度測定装置２０において、図１の測定対象太陽電池３１に代えて基準セル３０がセットされると、分光感度測定部２１によって分光感度Ｐｃｍ(λ)が測定され、測定結果が分光感度記憶部２３に記憶される。
【００６４】
次に、絶対分光感度演算部２５によって、絶対分光感度Ｐｃ（λ）が求められて記憶される（ステップＳ２０）。より具体的には、絶対分光感度演算部２５は、公的測定値記憶部２４から、基準セルの短絡電流Ｉｓｃ、基準太陽光の分光放射照度Ｓ(λ)、および、基準セルの相対分光感度Ｐｃｒ(λ)を読み出して、式（２）を用いて、絶対分光感度Ｐｃ（λ）を求めて記憶する。
【００６５】
次に、図１に示すように、測定対象太陽電池３１が分光感度測定装置２０にセットされると、分光感度測定部２１によって分光感度Ｐｓｍ（λ）が測定される。
【００６６】
分光感度校正演算部２２は、絶対分光感度演算部２５から基準セルの絶対分光感度Ｐｃ（λ）読み出し、分光感度記憶部２３から基準セルの分光感度Ｐｃｍ（λ）を読み出して、式（３）を用いて、分光感度測定部２１から入力された分光感度Ｐｓｍ（λ）から、校正後の分光感度Ｐ（λ）を求める（ステップＳ２１）。
【００６７】
＜分光放射照度測定部１２の校正＞
図７は、分光放射照度測定部１２の校正処理のフローチャートである。分光放射照度測定部１２の校正処理では、まず、絶対分光感度演算部１７によって、絶対分光感度Ｐｃ（λ）が求められて記憶される。より具体的には、絶対分光感度演算部１７は、公的測定値記憶部１６から、基準セルの短絡電流Ｉｓｃ、基準太陽光の分光放射照度Ｓ(λ)、および、基準セルの相対分光感度Ｐｃｒ(λ)を読み出して、式（２）を用いて、絶対分光感度Ｐｃ（λ）を求めて記憶する。
【００６８】
次に、ＳＳ１１の光量調整を行う（ステップＳ２０）。この光量調整は、図８のフローチャートで示すように、まず、図１の測定対象太陽電池３１に代えて基準セル３０がＳＳ１１の下に配置され（ステップＳ３０）、電流電圧計１４から出力される短絡電流Ｔと公的機関が測定した基準セル３０の短絡電流Ｉｓｃとが、同一になるように（ステップＳ３１）、ＳＳ１１の光量調整が行われる（ステップＳ３２）。
【００６９】
ＳＳ１１の光量調整が終わると、分光放射照度測定部１２によってＳＳ１１の分光放射照度Ｌｍ（λ）が測定され、分光放射照度校正演算部１３によって、基準セル３０の短絡電流Ｉｓｃｍが求められる（ステップＳ２１、式（７））。
【００７０】
次に、分光放射照度校正演算部１３によって、校正係数Ｋｓが求められる（ステップＳ２２、式（９））。
【００７１】
次に、分光放射照度校正演算部１３によって、分光放射照度Ｌ（λ）が求められる（ステップＳ２３、式（１０））。
【００７２】
本実施形態では、分光放射照度測定装置１０および分光感度測定装置２０のそれぞれで、基準セルの絶対分光感度Ｐｃ（λ）を求めることとしているが、どちらかの装置で求めたものをもう一方の装置に記憶させてもよく、また、これら装置以外の装置で予め求めたものをそれぞれの装置に記憶させることとしてもよい。
【００７３】
図９および図１０に、図１の太陽電池評価装置１００でＳＳ１１の光量調整を行った場合の、測定対象太陽電池３１の評価結果を示す。図９（Ａ）は、本実施形態の校正方法を用いないで光量調整を行ったＳＳでの測定結果を示す図であり、図９（Ｂ）は、本実施形態の校正方法を用いて光量調整を行ったＳＳでの測定結果を示す図である。これらの縦軸は、測定誤差を表し、これらの横軸は、計算上の短絡電流Ｉｓｃを表す。また、「ＰＶＭ−５８９」は、結晶Ｓｉ型の太陽電池であり、「Ｙ−４４＋ＨＡＦ」、「Ｒ−６５＋ＨＡＦ」、「Ｂ−４４０」、「Ｒ−６０」、「Ｒ−６０＋ＨＡＦ」、「Ｂ−３９０」および「Ｇ−５３０」は、それぞれ透過率が異なる光学フィルタをＰＶＭ−５８９に付加した太陽電池である。後述の図１０も同様である。
【００７４】
測定誤差は、以下のように求める。ＳＳ１１の分光放射照度をＬ（λ）、測定対象太陽電池３１の分光感度をＰ（λ）とすると、計算された短絡電流である計算Ｉｓｃは、次式（１２）で求められる。電流電圧計１４で測定した短絡電流を実測Ｉｓｃとすると、測定誤差は、次式（１３）で求められる。
計算Ｉｓｃ＝∫Ｐ(λ)・Ｌ(λ)ｄλ      ・・・（１２）
測定誤差Ｉｓｃ（％）＝計算Ｉｓｃ／実測Ｉｓｃ      ・・・（１３）
【００７５】
図９（Ａ）では、各太陽電池の測定誤差が、−０．７９％〜１．８４％の範囲に分布しているが、図９（Ｂ）では、測定誤差が、−１．１９％〜１．４２％の範囲内に収まっている。また、分布の平均値は、０．４％から０％になった。このように、分光放射照度測定部１２と分光感度測定部２１とを校正することで、光量調整したＳＳの分光放射照度がＳ（λ）により近くなったことがわかる。
【００７６】
図１０は、図９とは異なるＳＳを用いた場合の例である。図１０（Ａ）は、本実施形態の校正方法を用いないで光量調整を行ったＳＳでの測定結果を示す図であり、図１０（Ｂ）は、本実施形態の校正方法を用いて光量調整を行ったＳＳでの測定結果を示す図である。
【００７７】
図１０（Ａ）では、各太陽電池の測定誤差が、−３．４２％〜−０．３７％の範囲に分布しているが、図１０（Ｂ）では、測定誤差が、−２．２４％〜０．８６％の範囲内に収まっている。また、分布の平均値は、−１．８５％から−０．６５％になった。
【００７８】
本明細書は、上記のように様々な態様の技術を開示しているが、そのうち主な技術を以下に纏める。
【００７９】
一態様にかかる分光感度測定装置は、測定対象である太陽電池の分光感度を測定する分光感度測定部と、基準太陽光を照射した場合の短絡電流、および、相対分光感度が予め測定されている基準光起電力素子を用いて、前記分光感度を校正する分光感度校正演算部とを備える。なお、基準光起電力素子は、好ましくは、測定対象となる太陽電池を値付けした基準セルや、太陽電池が持つ分光感度に近似する分光感度を持つ疑似基準セル等である。
【００８０】
また、他の一態様にかかる分光感度測定装置の校正方法は、測定対象である太陽電池の分光感度を測定する分光感度測定部を備える分光感度測定装置の、前記分光感度測定部を校正する分光感度校正方法であって、基準太陽光を照射した場合の短絡電流、および、相対分光感度が予め測定されている基準光起電力素子を用いて、前記分光感度を校正する工程を含む。
【００８１】
このような構成の分光感度測定装置およびその校正方法は、経年劣化等により誤差が生じた測定結果、すなわち、分光感度測定部が測定した測定対象の太陽電池の分光感度を、公的機関が相対分光感度および分光放射照度による短絡電流を測定した基準太陽電池を用いて、校正することが可能となる。
【００８２】
また、他の一態様では、上述の分光感度測定装置において、好ましくは、前記分光感度校正演算部は、下記式（Ｃ１）を用いることによって前記基準光起電力素子の絶対分光感度を求め、下記式（Ｃ２）を用いることによって、前記分光感度測定部で測定した分光感度を校正することで、校正後の分光感度を算出する。
Ｐｃ(λ)＝（Ｉｓｃ／（∫Ｐｃｒ(λ)・Ｓ(λ)ｄλ））・Ｐｃｒ(λ)  ・・・（Ｃ１）
Ｐ(λ)＝（Ｐｃ(λ)／Ｐｃｍ(λ)）・Ｐｓｍ(λ)  ・・・（Ｃ２）
ただし、Ｐｃ(λ)は、前記基準光起電力素子の絶対分光感度であり、Ｉｓｃは、前記基準太陽光による前記短絡電流であり、Ｐｃｒ(λ)は、前記相対分光感度であり、Ｓ(λ)は、前記基準太陽光による分光放射照度であり、Ｐ(λ)は、前記校正後の前記分光感度であり、Ｐｃｍ(λ)は、前記分光感度測定部で測定した前記基準光起電力素子の分光感度であり、そして、Ｐｓｍ(λ)は、前記太陽電池の分光感度である。
【００８３】
このような構成の分光感度測定装置は、上記式（Ｃ１）および式（Ｃ２）によって、分光感度測定部が測定した測定対象の太陽電池の分光感度Ｐｓｍ（λ）を校正することが可能となる。
【００８４】
また、他の一態様にかかる太陽電池評価装置は、分光放射照度の基準太陽光を模した光を照射光として太陽電池に照射するソーラシミュレータと、前記照射光による太陽電池の短絡電流を測定する短絡電流測定部と、前記ソーラシュミレータの分光放射照度を測定する分光放射照度測定部と、前記基準太陽光を照射した場合の短絡電流、および、相対分光感度が予め測定されている基準光起電力素子を用いて、前記分光放射照度を校正し、分光照射照度を求める分光照射照度校正演算部とを備える。
【００８５】
また、他の一態様にかかる分光放射照度校正方法は、分光放射照度の基準太陽光を模した光を照射光として太陽電池に照射するソーラシミュレータと、前記照射光による太陽電池の短絡電流を測定する短絡電流測定部と、前記ソーラシュミレータの分光放射照度を測定する分光放射照度測定部とを備える太陽電池評価装置の、分光放射照度測定部を校正する分光放射照度校正方法であって、前記基準太陽光を照射した場合の短絡電流、および、相対分光感度が予め測定されている基準光起電力素子を用いて、前記分光放射照度を校正し、分光照射照度を求める工程を含む。
【００８６】
このような構成の太陽電池評価装置およびその校正方法は、経年劣化等により誤差が生じた測定結果、すなわち、分光放射照度測定部が測定したソーラシミュレータの分光放射照度を、公的機関が相対分光感度および分光放射照度による短絡電流を測定した基準太陽電池を用いて、校正することが可能となる。
【００８７】
また、他の一態様では、上述の太陽電池評価装置において、好ましくは、前記基準光起電力素子の絶対分光感度、および、前記分光放射照度測定部で測定した分光放射照度に基づき、下記式（Ｃ３）を用いることによって前記校正後の前記分光照射照度を算出する。
Ｌ(λ)＝（Ｉｓｃ／（∫Ｐｃ(λ)・Ｌｍ(λ)ｄλ））・Ｌｍ(λ)  ・・・（Ｃ３）
ただし、Ｌ(λ)は、前記校正後の前記分光照射照度であり、Ｉｓｃは、前記基準太陽光による前記短絡電流であり、Ｐｃ(λ)は、前記基準光起電力素子の絶対分光感度であり、そして、Ｌｍ(λ)は、前記分光放射照度測定部で測定した分光放射照度である。
【００８８】
また、他の一態様では、上述の太陽電池評価装置において、好ましくは、前記分光放射照度校正演算部は、下記式（Ｃ４）を用いることによって、前記基準光起電力素子の絶対分光感度を求め、下記式（Ｃ５）を用いることによって、前記分光放射照度測定部で測定した分光放射照度を校正することで、校正後の分光放射照度Ｌ（λ）を算出する。
Ｐｃ(λ)＝（Ｉｓｃ／（∫Ｐｃｒ(λ)・Ｓ(λ)ｄλ））・Ｐｃｒ(λ)  ・・・（Ｃ４）
Ｌ(λ)＝（Ｉｓｃ／（∫Ｐｃ(λ)・Ｌｍ(λ)ｄλ））・Ｌｍ(λ)  ・・・（Ｃ５）
ただし、Ｐｃ(λ)は、前記基準光起電力素子の絶対分光感度であり、Ｉｓｃは、前記基準太陽光による前記短絡電流であり、Ｐｃｒ(λ)は、前記相対分光感度であり、Ｓ(λ)は、前記基準太陽光による分光放射照度であり、Ｌ(λ)は、前記校正後の前記分光照射照度であり、そして、Ｌｍ(λ)は、前記分光放射照度測定部で測定した分光放射照度である。
【００８９】
このような構成の太陽電池評価装置は、上記式（Ｃ４）および式（Ｃ５）によって、分光放射照度測定部が測定したソーラシミュレータの分光放射照度を校正することが可能となる。
【００９０】
また、他の一態様では、これら上述の太陽電池評価装置において、好ましくは、さらに、測定対象である太陽電池の分光感度を測定する分光感度測定部と、前記基準光起電力素子を用いて、前記分光感度を校正し、分光感度を求める分光感度校正演算部とを備える。
【００９１】
このような構成の太陽電池評価装置は、分光放射照度測定部と分光感度測定部とが同じ基準光起電力素子を用いて校正されるので、分光放射照度と測定対象の太陽電池の分光感度とを用いた処理より高精度な測定が可能になる。
【００９２】
この出願は、２０１０年１２月１６日に出願された日本国特許出願特願２０１０−２８０５６７を基礎とするものであり、その内容は、本願に含まれるものである。
【００９３】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【００９４】
本発明によれば、分光感度測定装置、太陽電池評価装置、分光感度校正方法および分光放射照度校正方法を提供することができる。
【図１】
2012081149.tif 000003
【図２】
2012081149.tif 000004
【図３】
2012081149.tif 000005
【図４】
2012081149.tif 000006
【図５】
2012081149.tif 000007
【図６】
2012081149.tif 000008
【図７】
2012081149.tif 000009
【図８】
2012081149.tif 000010
【図９】
2012081149.tif 000011
【図１０】
2012081149.tif 000012
【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
基準太陽光の分光放射照度を模した光を照射光として太陽電池に照射するソーラシミュレータと、
前記照射光による太陽電池の短絡電流を測定する短絡電流測定部と、
前記ソーラシュミレータの分光放射照度を測定する分光放射照度測定部と、
前記基準太陽光を照射した場合の短絡電流、および、相対分光感度が予め測定されている基準光起電力素子を用いて、前記分光放射照度測定部で測定したソーラシュミレータの分光放射照度を波長毎に校正し、前記ソーラシュミレータの絶対分光放射照度を求める分光放射照度校正演算部と
を備えることを特徴とする太陽電池評価装置。
【請求項２】
前記分光放射照度校正演算部は、
前記基準光起電力素子の絶対分光感度、および、前記分光放射照度測定部で測定した分光放射照度に基づき、下記式（Ｃ３）を用いることによって前記校正後の前記ソーラシュミレータの絶対分光放射照度を算出すること
を特徴とする請求項１に記載の太陽電池評価装置。
Ｌ(λ)＝（Ｉｓｃ／（∫Ｐｃ(λ)・Ｌｍ(λ)ｄλ））・Ｌｍ(λ)  ・・・（Ｃ３）
ただし、
Ｌ(λ)：前記校正後の前記ソーラシュミレータの絶対分光放射照度
Ｉｓｃ：前記基準太陽光を照射した場合の前記基準光起電力素子の短絡電流
Ｐｃ(λ)：前記基準光起電力素子の絶対分光感度
Ｌｍ(λ)：前記分光放射照度測定部で測定した前記ソーラシュミレータの分光放射照度
【請求項３】
前記分光放射照度校正演算部は、
下記式（Ｃ４）を用いることによって、前記基準光起電力素子の絶対分光感度を求め、
下記式（Ｃ５）を用いることによって、前記分光放射照度測定部で測定した分光放射照度を校正することで、校正後の前記ソーラシュミレータの絶対分光放射照度を算出すること
を特徴とする請求項１に記載の太陽電池評価装置。
Ｐｃ(λ)＝（Ｉｓｃ／（∫Ｐｃｒ(λ)・Ｓ(λ)ｄλ））・Ｐｃｒ(λ)  ・・・（Ｃ４）
Ｌ(λ)＝（Ｉｓｃ／（∫Ｐｃ(λ)・Ｌｍ(λ)ｄλ））・Ｌｍ(λ)  ・・・（Ｃ５）
ただし、
Ｐｃ(λ)：前記基準光起電力素子の絶対分光感度
Ｉｓｃ：前記基準太陽光を照射した場合の前記基準光起電力素子の短絡電流
Ｐｃｒ(λ)：前記基準光起電力素子の相対分光感度
Ｓ(λ)：前記基準太陽光の分光放射照度
Ｌ(λ)：前記校正後の前記ソーラシュミレータの絶対分光放射照度
Ｌｍ(λ)：前記分光放射照度測定部で測定した前記ソーラシュミレータの分光放射照度
【請求項４】
前記太陽電池評価装置は、さらに、
測定対象である太陽電池の分光感度を測定する分光感度測定部と、
前記基準光起電力素子を用いて、前記分光感度測定部で測定した分光感度を校正し、前記測定対象である太陽電池の分光感度を求める分光感度校正演算部と
を備えることを特徴とする請求項１に記載の太陽電池評価装置。
【請求項５】
基準太陽光の分光放射照度を模した光を照射光として太陽電池に照射するソーラシミュレータと、前記照射光による太陽電池の短絡電流を測定する短絡電流測定部と、前記ソーラシュミレータの分光放射照度を測定する分光放射照度測定部とを備える太陽電池評価装置の、分光放射照度測定部を校正する分光放射照度校正方法であって、
前記基準太陽光を照射した場合の短絡電流、および、相対分光感度が予め測定されている基準光起電力素子を用いて、前記分光放射照度測定部で測定したソーラシュミレータの分光放射照度を波長毎に校正し、前記ソーラシュミレータの絶対分光放射照度を求める工程を含むこと
を特徴とする分光放射照度校正方法。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
本発明にかかる太陽電池評価装置および分光放射照度校正方法では、基準太陽光を照射した場合の短絡電流、および、相対分光感度が予め測定されている基準光起電力素子を用いて、前記分光放射照度が波長毎に校正される。このため、本発明にかかる太陽電池評価装置および分光放射照度校正方法は、ソーラシミュレータの分光放射照度を校正することができる。 
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
基準太陽光の分光放射照度を模した照射光を照射するソーラシミュレータの照射光の分光放射照度を測定する分光放射照度測定装置であって、
前記ソーラシミュレータの前記照射光の分光放射照度を測定する分光放射照度測定部と、
前記基準太陽光を照射した場合の短絡電流と絶対分光感度とが予め測定されている基準光起電力素子を用いて、前記基準光起電力素子の前記短絡電流と、前記分光放射照度測定部で測定された分光放射照度と前記基準光起電力素子の前記絶対分光感度の積との比から、校正係数を求め、前記分光放射照度測定部で測定された分光放射照度に波長毎に該係数を乗じて校正する分光放射照度校正演算部と
を備えることを特徴とする分光放射照度測定装置。
【請求項２】
前記分光放射照度校正演算部は、
前記基準光起電力素子の絶対分光感度及び短絡電流、並びに、前記分光放射照度測定部で測定された分光放射照度に基づき、下記式（Ｃ３）を用いることによって前記校正後の前記ソーラシミュレータの分光放射照度を算出すること
を特徴とする請求項１に記載の分光放射照度測定装置。
Ｌ(λ)＝（Ｉｓｃ／（∫Ｐｃ(λ)・Ｌｍ(λ)ｄλ））・Ｌｍ(λ)  ・・・（Ｃ３）
ただし、
Ｌ(λ)：前記校正後の前記ソーラシミュレータの分光放射照度
Ｉｓｃ：前記基準太陽光を照射した場合の前記基準光起電力素子の短絡電流
Ｐｃ(λ)：前記基準光起電力素子の絶対分光感度
Ｌｍ(λ)：前記分光放射照度測定部で測定した前記ソーラシミュレータの分光放射照度
【請求項３】
前記分光放射照度校正演算部は、
前記基準光起電力素子の絶対分光感度を、前記基準光起電力素子の相対分光感度から、下記式（Ｃ４）を用いることによって求めること
を特徴とする請求項１又は２に記載の分光放射照度測定装置。
Ｐｃ(λ)＝（Ｉｓｃ／（∫Ｐｃｒ(λ)・Ｓ(λ)ｄλ））・Ｐｃｒ(λ)  ・・・（Ｃ４）
ただし、
Ｐｃ(λ)：前記基準光起電力素子の絶対分光感度
Ｉｓｃ：前記基準太陽光を照射した場合の前記基準光起電力素子の短絡電流
Ｐｃｒ(λ)：前記基準光起電力素子の相対分光感度
Ｓ(λ)：前記基準太陽光の分光放射照度
【請求項４】
前記分光放射照度測定装置は、さらに、
測定対象である太陽電池の分光感度を測定する分光感度測定部と、
前記基準光起電力素子を用いて、前記分光感度測定部で測定した分光感度を校正し、前記測定対象である太陽電池の分光感度を求める分光感度校正演算部と
を備えることを特徴とする請求項１に記載の分光放射照度測定装置。
【請求項５】
基準太陽光の分光放射照度を模した照射光を照射するソーラシミュレータと、
前記ソーラシミュレータの分光放射照度を測定する分光放射照度測定部と、
前記基準太陽光を照射した場合の短絡電流と絶対分光感度とが予め測定されている基準光起電力素子を用いて、前記基準光起電力素子の前記短絡電流と、前記分光放射照度測定部で測定された分光放射照度と前記基準光起電力素子の前記絶対分光感度の積との比から、校正係数を求め、前記分光放射照度測定部で測定された分光放射照度に波長毎に該係数を乗じて校正する分光放射照度校正演算部と
を備えることを特徴とする分光放射照度測定システム。
【請求項６】
基準太陽光の分光放射照度を模した照射光を照射するソーラシミュレータの前記照射光の分光放射照度を測定する分光放射照度測定装置が備える、前記ソーラシミュレータの分光放射照度を測定する分光放射照度測定部を校正する分光放射照度校正方法であって、
前記基準太陽光を照射した場合の短絡電流と絶対分光感度とが予め測定されている基準光起電力素子を用いて、前記基準光起電力素子の前記短絡電流と、前記分光放射照度測定部で測定された分光放射照度と前記基準光起電力素子の前記絶対分光感度の積との比から、校正係数を求め、前記分光放射照度測定部で測定された分光放射照度に波長毎に該係数を乗じて校正する工程を含むこと
を特徴とする分光放射照度校正方法。
【手続補正３】
【補正対象書類名】明細書
【補正対象項目名】００１３
【補正方法】変更
【補正の内容】
【００１３】
本発明にかかる分光放射照度測定装置、分光放射照度測定システムおよび分光放射照度校正方法では、基準太陽光を照射した場合の短絡電流、および、相対分光感度が予め測定されている基準光起電力素子を用いて、前記分光放射照度が波長毎に校正される。このため、本発明にかかる分光放射照度測定装置、分光放射照度測定システムおよび分光放射照度校正方法は、ソーラシミュレータの分光放射照度を校正することができる。 
【国際調査報告】
2012081149.tif 000013
2012081149.tif 000014
2012081149.tif 000015
2012081149.tif 000016
2012081149.tif 000017
2012081149.tif 000018